(57)【要約】【課題】電磁石と板状部材、又は板状部材とヨークとが互いに接触するために発生する金属音などを減少させることにある。【解決手段】フラッパ型ソレノイド５は、電磁石１１と、ヨーク２１と、磁性体３１と、樹脂製の可動板４１と、板バネ４８とを有する。電磁石１１は磁界を発生させるための部材である。ヨーク２１は電磁石１１を支持する部材である。磁性体３１は電磁石１１によって磁界が発生させられる際に電磁石１１に吸着される。樹脂製の可動板４１は磁性体３１を電磁石１１に接触しないように支持し、ヨーク２１に一端が回転自在に支持される樹脂で形成されている。板バネ４８は樹脂製の可動板４１を電磁石１１から離反させる方向に付勢する。【選択図】図１
2007227787.tif 000002
【特許請求の範囲】
【請求項１】
磁界を発生させるための電磁石と、
前記電磁石を支持するヨークと、
前記電磁石によって磁界が発生させられる際に前記電磁石に吸着される磁性体と、
前記磁性体を前記電磁石に接触しないように支持するとともに、前記磁性体が前記電磁石に吸着される際に前記ヨークと接触し、前記ヨークに一端が回転自在に支持され、樹脂で形成された板状部材と、
前記板状部材を前記電磁石から離反させるように付勢する付勢部材と、
を備えたソレノイド。
【請求項２】
前記電磁石は、
磁性芯と、
前記磁性芯の周囲に配置され、磁界を発生させるための電磁コイルとを有する、
請求項１に記載のソレノイド。
【請求項３】
前記磁性体は、板状部と、前記板状部から突出する凸部とを有しており、
前記板状部材は前記板状部が挿入可能な凹部を備えており、前記凹部には前記凸部が挿入可能であり前記凸部の挿入時に前記凸部の先端が内部に位置される孔を有する、
請求項１又は２のいずれかに記載のソレノイド。
【請求項４】
前記孔の外径は前記磁性芯の外径よりも小さい、請求項３に記載のソレノイド。
【請求項５】
前記凹部は互いに対向するように設けられ内側に向かって突出する突出部を有し、前記突出部は前記凹部に前記磁性体を挿入した際に前記磁性体を支持する、
請求項３又は４に記載のソレノイド。
【請求項６】
前記板状部材は一方向に延びており、
前記磁性体は前記板状部材が延びる方向に直交する方向の前記板状部材の両端側を補強するコの字状の部分を有する、
請求項１から５までのいずれかに記載のソレノイド。
【請求項７】
前記ヨークは孔が対向するように配置された一対の環状部を有しており、
前記板状部材は、一対の前記環状部の孔に挿入可能であって外径を弾性変形させて前記孔を通過させる突起を両端に備えた軸を有している、
請求項１から６までのいずれかに記載のソレノイド。
【請求項８】
前記ヨークは、前記電磁石よりも前記磁性体が配置されている側まで延び前記電磁石に前記磁性体が吸着される際に前記板状部材と互いに接触する接触部を有し、
前記付勢部材は、前記板状部材と一体に成形された板バネであって、前記板状部材と前記ヨークの接触部との間に配置されている、
請求項１から６までのいずれかに記載のソレノイド。
【発明の詳細な説明】
【技術分野】
【０００１】
本発明は、ソレノイド、特に、フラッパ型ソレノイドに関する。
【背景技術】
【０００２】
複写機などの画像形成装置には給紙部等様々な箇所でフラッパ型のソレノイドが用いられているものがある。このフラッパ型ソレノイドは、磁界を発生させる電磁石と、電磁石が発生した磁界によって吸着されるように移動する板状部材と、電磁石を支持するヨークと、板状部材を電磁石から遠ざかるように付勢する付勢部材とを有する。このフラッパ型ソレノイドでは、電磁石で磁界が発生すると板状部材が電磁石に吸着され、電磁石の磁界が消去されると付勢部材の付勢力によって板状部材は電磁石から遠ざかるように移動する。このとき、ヨークと板状部材又は電磁石と板状部材が互いに接触する場合がある。ここで、ヨークや電磁石、板状部材は金属で形成されているために電磁石と磁性体との接触及びヨークと板状部材との接触によってそれぞれの部材に衝撃が加えられ、がたつきや騒音が発生することがある。がたつきや騒音を減少させるために吸音静音部材を用いたフラッパ型ソレノイドが存在する（特許文献１参照）。
【特許文献１】特開２０００−１２４０２８号公報
【発明の開示】
【発明が解決しようとする課題】
【０００３】
特許文献１に記載のフラッパ型ソレノイドでは吸音静音部材を用いているが、電磁石と板状部材とが互いに接触する、又はヨークと板状部材とが互いに接触するために、金属音が発生する場合がある。
【０００４】
本発明の課題は、電磁石と板状部材、又は板状部材とヨークとが互いに接触するために発生する金属音などを減少させることにある。
【課題を解決するための手段】
【０００５】
請求項１に係るソレノイドは、電磁石と、ヨークと、磁性体と、板状部材と、付勢部材とを有する。電磁石は磁界を発生させるための部材である。ヨークは電磁石を支持する部材である。磁性体は電磁石によって磁界が発生させられる際に電磁石に吸着される。板状部材は、磁性体を電磁石に接触しないように支持するとともに、磁性体が電磁石に吸着される際にヨークと接触し、ヨークに一端が回転自在に支持され、樹脂で形成されている。付勢部材は板状部材を電磁石から離反させる方向に付勢する。
【０００６】
このソレノイドでは、電磁石で磁界が発生すると、磁性体が電磁石に吸着される。磁性体の吸着に伴って、磁性体を支持する板状部材も吸着させられる。このとき、磁性体は電磁石と接触しないように板状部材に支持されているために電磁石と磁性体とは接触しない。そして、電磁石の磁界が消去されると付勢部材によって電磁石から磁性体が離反させられ、この離反に伴って磁性体を支持する板状部材も離反する。
【０００７】
ここでは、電磁石と磁性体とが接触せず、ヨークと樹脂製の板状部材とが接触するために金属音などの発生を抑えることができる。
【０００８】
請求項２に係るソレノイドは、請求項１に記載のソレノイドであって、電磁石は、磁性芯と、磁性芯の周囲に配置され磁界を発生させる電磁コイルとを有する。
【０００９】
ここでは、電磁コイルに電流が流れると電磁石の周辺で磁界が発生する。
【００１０】
請求項３に係るソレノイドは、請求項１または２に記載のソレノイドであって、磁性体は凸部を有する板状の部材であって、板状部材は、板状部が挿入可能な凹部を備えており、凹部には凸部が挿入可能であり凸部の挿入時に凸部の先端が内部に配置される孔を有する。
【００１１】
ここでは、板状部材に孔が空いているために電磁石の磁力が遮られにくくなる。さらに、凸部の凹部への挿入時に凸部の先端が孔の内部に位置されるために磁性体と磁性芯とが接触するのを防止できる。
【００１２】
請求項４に係るソレノイドは、請求項３のいずれかに記載のソレノイドであって、孔の外径は磁性芯の外径よりも小さい。
【００１３】
ここでは、板状部材がオーバーストロークした際でも磁性芯と磁性体とが接触するのを防止できる。
【００１４】
請求項５に係るソレノイドは、請求項３又は４のいずれかに記載のソレノイドであって、凹部は互いに対向するように設けられ内側に向かって突出する突出部を有し、突出部は凹部に磁性体を挿入した際に磁性体を支持する。
【００１５】
ここでは、板状部材と磁性体との間のガタを防止でき、このため、ガタツキの際に発生する音を防止できる。
【００１６】
請求項６に係るソレノイドは、請求項１から５までのいずれかに記載のソレノイドであって、板状部材は一方向に延びており、磁性体は板状部材が延びる方向に直交する方向の板状部材の両端側を補強するコの字状の部分を有する。
【００１７】
ここでは、凹部を設けることで強度が下がっている部分を補強できる。
【００１８】
請求項７に係るソレノイドは、請求項１から６のいずれかに記載のソレノイドであって、ヨークは孔が対向するように配置された一対の環状部を有しており、板状部材は、一対の環状部の孔に挿入可能であって外径を弾性変形させて孔を通過させる突起を両端に備えた軸を有している。
【００１９】
ここでは、板状部材が移動する際の音を防止でき、可動性が維持できる。
【００２０】
請求項８に係るソレノイドは、請求項１から６のいずれかに記載のソレノイドであって、ヨークは、電磁石よりも磁性体が配置されている側まで延び電磁石に磁性体が吸着される際に板状部材と互いに接触する接触部を有し、付勢部材は、板状部材と一体に成形された板バネであって、板状部材とヨークの接触部との間に配置されている。
【００２１】
ここでは、電磁石が磁界を発生して磁性体を吸着する際に板状部材とヨークの接触部との間に配置された板バネが衝撃を緩和する。このために、金属音などの騒音をさらに抑えることができる。
【発明の効果】
【００２２】
本発明は、電磁石と板状部材又は板状部材とヨークの接触により発生する金属音などを減少させることができる。
【発明を実施するための最良の形態】
【００２３】
［第１実施形態］
１．構成
図１は本発明の一実施形態が採用されたフラッパ型ソレノイドが用いられる画像形成装置の一例としてのカラープリンタ１を示す。なお、この図１は各構成要素の配置を示すための模式図であり、各部の詳細は省略して示している。
【００２４】
このカラープリンタ１は、トナー像を用紙に形成する画像形成部２と、画像形成部２で用紙に定着されたトナー像を用紙にて定着する定着部３と、トナー像が定着される用紙を収納する給紙カセットを有する給紙部４等を備えている。このカラープリンタ１には、図２に示すようなフラッパ型ソレノイド５が、給紙部４等において多数用いられている。以下にフラッパ型ソレノイド５について説明する。
【００２５】
フラッパ型ソレノイド５は、図２に示すように、電磁石１１と、ヨーク２１と、磁性体３１と、樹脂製の可動板４１（板状部材）とを備えており、例えば給紙部４の近傍に配置されている。ここで、図２はフラッパ型ソレノイド５の全体側面図を示している。
【００２６】
電磁石１１は、ボビン１２と、電磁コイル１３と、磁性芯１４とを有し、周囲に磁界を発生させるためのものである。ボビン１２は、対向して配置され中央に孔を有する一対の円板部１２ａ，１２ｂと、一方の円板部１２ａの孔と他方の円板部１２ｂの孔とを連結する円筒部（図示せず）とを有している。電磁コイル１３はボビン１２の円筒部の周囲に導線を複数回巻き付けて構成されている。磁性芯１４は、ボビン１２の円筒部の内周側に配置された円柱部と、円柱部の磁性体３１が配置されている側端部に設けられた磁性芯円板部１５と、円柱部の他方側端部に設けられた突起１６とを有しており、鉄などによって形成されている。
【００２７】
ヨーク２１は、図３に示すように、電磁石１１を支持するための部材であって、一対の平板部２２と、一対の平板部２２を接続する支持板２３とを有する。ここで、図３はヨークの斜視図を示している。一対の平板部２２は、電磁石１１を狭持するように対向して配置されており、第１平板部２４と、第２平板部２５とを有している。図３の上側に配置される第１平板部２４は、第１板状部２６と、磁性体３１側の一端部に樹脂製の可動板４１を支持するための端部支持部２７とを有しており、他端部は支持板２３の端部に接続されている。端部支持部２７は、環状部２８と、環状部２８と第１板状部２６とを接続する棒状部２９とを有している。第２平板部２５は、第２板状部２５ａと、磁性体３１側一端部に設けられた接触部２５ｂと、フラッパ型ソレノイド５を取り付ける際に用いられる取り付け部２５ｃ（図２参照）とを有している。接触部２５ｂは、磁性体３１が電磁石１１に吸着される際に樹脂製の可動板４１と接触するための部分であって、第２板状部２５ａの磁性体３１側一端部から第１平板部２４が配置されている方向と逆の方向に延びる平板状の部分である。取り付け部２５ｃは、第２板状部２５ａの一方の側部から第１平板部２４が配置されている方向と逆の方向に延びる平板状の部分であって、２つの孔２５ｄが設けられている（図２参照）。支持板２３は、磁性芯の突起１６が貫通可能な孔２３ａを有しており、ボビン１２の磁性体３１から遠い側の円板部に近接するように配置されている。
【００２８】
磁性体３１は、磁性芯１４に対向するように配置されており、図４（ａ）、（ｂ）に示すように、平板状部３２と、平板状部３２から電磁石１１側に突出する凸部３３とを有している。平板状部３２は、樹脂製の可動板４１よりも厚みが薄く、長方形に形成された部分である。凸部３３は、平板状部３２の中央よりもやや図４（ｂ）の上側に配置されており、長方形に形成された部分である。ここで、図４は樹脂製の可動板４１及び磁性体３１を示しており、（ａ）は正面側の斜視図、（ｂ）は断面図、（ｃ）は背面側の斜視図である。
【００２９】
樹脂製の可動板４１は、図４に示すように、長方形状平板部４２と、長方形状平板部４２の一端に設けられた被支持部４３と、磁性体３１を挿入可能な凹部４４と、孔４５と、磁性体支持部４６と、立ち上がり部４７と、板バネ４８とを備えている。
【００３０】
長方形状平板部４２は、磁性体３１よりも厚みと面積の大きな部分である。被支持部４３は、図５に示すように、円柱部４３ａと、円柱部４３ａの両端から円柱部４３ａが延びる方向に突出する突起部４３ｂとを有する。ここで、図５は被支持部４３を示しており、（ａ）は突起部４３ｂが環状部２８内に挿入されている状態の断面図であって、（ｂ）は側面図である。
【００３１】
円柱部４３ａは、長方形状平板部４２の図４における上側端部の近傍に配置された部分である。
【００３２】
突起部４３ｂは、図５（ａ）に示すように、周囲に先端に近づくほど径が小さくなるようにテーパが設けられた円柱状の部分４３ｃの先端に円錐状の部分４３ｄが設けられており、図５（ｂ）に示すように突起部４３ｂの先端から接続部まで十字に切り込みが入っている。この突起部４３ｂの円錐状部分４３ｄに径方向外側から力が加えられると、突起部４３ｂの円錐状部は外径を収縮するように変化する。具体的には、突起部４３ｂを環状部２８に挿入する際には、突起部４３ｂの円錐状部分４３ｄに環状部２８により外側から力が加えられ、突起部４３ｂの円錐状部分４３ｄが径方向に収縮していき、環状部２８を通過する。環状部２８を通過後、突起部４３ｂは内周側から外周側に向かって環状部２８に力を加える。ここでは、突起部４３ｂに環状部２８等によって外周側から力が加わると突起部４３ｂは径を収縮するように変形し、外周側から力が加わっていない状態では環状部２８に内周側から力を加えている。このために、樹脂製の可動板４１とヨーク２１との接続部のがたつきを防止できる。
【００３３】
凹部４４は磁性体３１が挿入可能なように磁性体３１と同じ形状に形成されている部分であって、長方形状平板部４２のほぼ中央に配置されている。また、凹部４４の幅方向両端部には内側に向かって突出する一対の突出部４９が対向する位置に設けられている。
【００３４】
孔４５は、図４（ｃ）に示すように、磁性体３１の凸部３３が挿入可能なように凹部４４に凸部３３と同じ長方形状に設けられている。なお、凸部３３の突出量は孔４５の深さよりも少ない。すなわち、孔４５に凸部３３を挿入する時に凸部３３の先端は孔４５内部に位置している。このために、凸部３３は樹脂製の可動板４１から突出しない。さらに、孔４５の一辺は磁性芯円板部１５の直径よりも小さい。このために、樹脂製の可動板４１が磁性芯円板部１５と接触しても、磁性体３１と磁性芯円板部１５とは接触しないために金属音の発生を防止できる。
【００３５】
磁性体支持部４６は、凹部４４の両端に配置された部分であって、磁性体３１を凹部４４に挿入した際に磁性体３１と接触するように設けられている。
【００３６】
立ち上がり部４７は、長方形状平板部４２の被支持部４３が配置されている側と逆側端部に配置されており、長方形状平板部４２に対して垂直に突出するように設けられている。
【００３７】
板バネ４８（付勢部材）は、図４（ｃ）に示すように、長方形状平板部４２の電磁石１１が配置されている側の面に、電磁石１１によって磁性体３１が吸着される際にヨーク２１の端部支持部２７に当接するような位置に配置されている。また、板バネ４８は長方形状平板部４２から突出する樹脂製の平板を略コの字になるように屈曲させた部分である。
【００３８】
２．動作
次に動作について説明する。
【００３９】
このフラッパ型ソレノイド５では、電磁コイル１３に電流が流れていない場合（電磁石１１で磁界が発生していない場合）には、磁性体３１が電磁石１１から吸着力を受けていないため板バネ４８が自由状態である。すなわち接触部２５ｂに板バネ４８からの押圧力が作用していない状態である。この状態から電磁コイル１３に電流が流されると、電磁石１１の周囲に磁界が発生して吸引力が磁性体３１に生じる。すると、磁性体３１を含む樹脂製の可動板４１が被支持部４３を回転中心として移動して電磁石１１側に吸着される。すなわち板バネ４８が接触部２５ｂから押圧力を受けて撓む。ここでは、磁性体３１が電磁石１１側に吸着される際に板バネ４８がクッションとなる為に、磁性体３１と磁性芯１４とは接触せず金属音などの発生を防止できる。
【００４０】
［第２実施形態］
１．構成
図６に第２実施形態に係るフラッパ型ソレノイド５１の斜視図を示し、図７にその側面図を示す。第２実施形態に係るフラッパ型ソレノイド５１は主な部分については第１実施形態と同様であるので、第１実施形態と異なる部分についてのみ詳細に説明する。このフラッパ型ソレノイド５１は、図６及び図７に示すように、電磁石６１と、ヨーク７１と、磁性体８１と、樹脂製の可動板９１と、コイルスプリング１０１とを備えている。ここで、電磁石６１は第１実施形態と同様のものであるために説明を省略する。
【００４１】
ヨーク７１は、図８に示すように、電磁石６１を支持するための部材であって、一対の平板部７２と、一対の平板部７２をそれぞれ接続する支持板７３とを有する。ここで、図８は第２実施形態に係るフラッパ型ソレノイド５１に用いられるヨーク７１の斜視図を示す。
【００４２】
一対の平板部７２は、電磁石６１を狭持するように配置されており、第１平板部７４と、第２平板部７５とを有している。図７の上側に配置される第１平板部７４は、第１板状部７６と、磁性体８１側の一端部に樹脂製の可動板９１を支持するための第２端部支持部７７と、コイルスプリング１０１の一端を支持する第１スプリング支持部７８とを有しており、他端部は支持板７３の端部に接続されている。２つの第２端部支持部７７は、第１板状部７６の樹脂製の可動板９１が配置されている側端部から第１板状部７６の延びる方向に突出しており、先端が対向する方向に曲げられている。第２平板部７５は、第２板状部７５ａと、磁性体８１側一端部に設けられた接触部７５ｂと、フラッパ型ソレノイド５１を取り付ける際に用いられる取り付け部７５ｃとを有している。第１スプリング支持部７８は、第１板状部７６のほぼ中央に設けられた部分であって、図８の上側に向かって突出する部材である。この第１スプリング支持部７８には、コイルスプリング１０１の一端を支持するための部分が形成されている。接触部７５ｂは、磁性体８１が電磁石６１に吸着される際に樹脂製の可動板９１と接触するための部分であって、第２板状部７５ａの磁性体８１側一端部から第１平板部７４が配置されている方向と逆の方向に延びる平板状の部分である。さらに、接触部７５ｂには緩衝剤としての弾性部材７５ｅ、例えばゴムなどが配置されている（図７参照）。取り付け部７５ｃは、第２板状部７５ａの磁性体８１側一端部から第１平板部７４が配置されている方向と逆の方向に延びる平板状の部分であって、取り付けようの孔７５ｄ（図７参照）が２つ設けられている。
【００４３】
支持板７３は、磁性芯の突起が貫通可能な孔７３ａを有しており、ボビンの磁性体８１から遠い側の円板部に近接するように配置されている。
【００４４】
磁性体８１は、図１０に示すように、平板状部８２と、平板状部８２から電磁石６１側に突出する凸部８３と幅方向両端に設けられたコの字状部分８４とを有している。平板状部８２は、樹脂製の可動板９１よりも厚みが薄く、長方形に形成された部分である。凸部８３は、平板状部８２のほぼ中央に配置されており、長方形に形成された部分である。コの字状部分８４は、後述する長方形状平板部９２の両端側を補強するための部分であって、後述する挿入部９４の幅方向両端と後述する長方形状平板部９２の両端との間の部分を覆うようにコの字状に形成されている。
【００４５】
図９は樹脂製の可動板９１を示しており、（ａ）は樹脂製の可動板９１の斜視図であって（ｂ）は断面図である。樹脂製の可動板９１は、図９に示すように、長方形状平板部９２と、長方形状平板部９２の一端に設けられた第２被支持部９３と、磁性体８１を挿入可能な挿入部９４と、孔９５と、磁性体支持部９６と、立ち上がり部９７とを備えている。ここで、第２被支持部９３と挿入部９４以外の部分は第１実施形態と同様の構成であるから説明を省略する。
【００４６】
第２被支持部９３は、図９（ａ）に示すように長方形状平板部９２の一端に配置されており、第２被支持部９３と互いに係止する係止部９３ａと、コイルスプリング１０１の一端を支持する第２スプリング支持部９３ｂとを有している。係止部９３ａは、第２板状部７５ａの上側に両側部から内部に向けて設けられた切り欠きである。この切り欠きと２つの第２端部支持部７７とをそれぞれ互いに係止させることで、樹脂製の可動板９１とヨーク７１との接続部のがたつきを防止できる。さらに、切り欠きを設けたことで弱くなった強度を２つの第２端部支持部７７によって補強することができる。第２スプリング支持部９３ｂは樹脂製の可動板９１の図９における上側に配置されており、図９（ｂ）に示すように長方形状平板部９２に垂直な方向に突出した部分である。
【００４７】
挿入部９４は、磁性体８１を挿入するための部分であって、樹脂製の可動板９１に形成された凹状の部分である。挿入部は、樹脂製の可動板９１の幅方向全域に形成されている。
【００４８】
コイルスプリング１０１は第１スプリング支持部７８と第２スプリング支持部９３ｂとに支持された部材である。
【００４９】
２．動作
このフラッパ型ソレノイド５１では、電磁コイルに電流が流れていない場合（電磁石８１で磁界が発生していない場合）には、磁性体８１が電磁石６１に吸着されておらず、樹脂製の可動板９１と接触部７５ｂの弾性部材７５ｅとが接触している状態、すなわち、接触部７５ｂに樹脂製の可動板９１からの押圧力が作用していない状態である。この状態から電磁コイルに電流が流されると、電磁石６１の周囲に磁界が発生して吸引力が磁性体８１に生じる。すると、磁性体８１を含む樹脂製の可動板９１がコイルスプリング１０１の弾性力に抗して電磁石６１側に移動する、すなわち樹脂製の可動板９１が接触部７５ｂから押圧力を受ける。このとき、ヨーク７１の接触部７５ｂの弾性部材７５ｅと樹脂製の可動板９１とが接触し、磁性体８１と電磁石６１とは接触しない。このために、磁性体８１と電磁石６１とが接触する際に発生する金属音などを防止することができる。
【図面の簡単な説明】
【００５０】
【図１】カラープリンタ１の全体図。
【図２】第１実施形態に係るフラッパ型ソレノイドの側面図。
【図３】ヨークの斜視図。
【図４】樹脂製の可動板を示す図。
【図５】樹脂製の可動板とヨークとの接続部の断面図等。
【図６】第２実施形態に係るフラッパ型ソレノイドの斜視図。
【図７】第２実施形態に係るフラッパ型ソレノイドの側面図。
【図８】第２実施形態に係るヨークの斜視図。
【図９】第２実施形態に係る樹脂製の可動板を示す図。
【図１０】第２実施形態に係る磁性体を示す図。
【符号の説明】
【００５１】
１  カラープリンタ
５  第１実施形態のフラッパ型ソレノイド
１１  電磁石
１３  電磁コイル
１４  磁性芯
２１  ヨーク
２５ｂ  接触部
３１  磁性体
３３  凸部
４１  樹脂製の可動板（板状部材）
４５  孔
４８  板バネ（付勢部材）
４９  突出部  
５１  第２実施形態のフラッパ型ソレノイド
６１  電磁石
７１  ヨーク
７５ｅ  弾性部材
８１  磁性体
８４  コの字状部分
９１  樹脂製の可動板
１０１  コイルスプリング
【図１】
2007227787.tif 000003
【図２】
2007227787.tif 000004
【図３】
2007227787.tif 000005
【図４】
2007227787.tif 000006
【図５】
2007227787.tif 000007
【図６】
2007227787.tif 000008
【図７】
2007227787.tif 000009
【図８】
2007227787.tif 000010
【図９】
2007227787.tif 000011
【図１０】
2007227787.tif 000012